(57)【特許請求の範囲】
【請求項１】
入力される映像信号に基づいて、表示面に表示を行う表示手段と、
前記表示面の周辺部に配置され、供給されるオーディオ信号を放音する内部スピーカと、
外部スピーカ装置が接続され、供給されるオーディオ信号を当該接続される外部スピーカ装置に出力する接続端子と、
内部スピーカ用パラメータを記憶する第１の記憶手段と、
前記外部スピーカ装置の種類に対応した外部スピーカ装置用パラメータを複数記憶する第２の記憶手段と、
オーディオ信号が入力される入力手段と、
前記入力手段に入力されるオーディオ信号に対して、設定されるパラメータに基づいて音響特性の調整を行う音響特性調整手段と、
前記内部スピーカまたは前記接続端子のいずれかを選択する出力選択手段と、
前記第２の記憶手段に記憶された複数の外部スピーカ装置用パラメータから、一の外部スピーカ装置用パラメータを選択するパラメータ選択手段と、
前記出力選択手段によって前記内部スピーカが選択された場合には、前記第１の記憶手段に記憶された前記内部スピーカ用パラメータを前記音響特性調整手段に設定し、前記接続端子が選択された場合には、前記パラメータ選択手段によって選択された前記外部スピーカ装置用パラメータを前記音響特性調整手段に設定する設定手段と、
前記外部スピーカ装置の設置状況に対応した補正データを複数記憶する第３の記憶手段と、
前記第３の記憶手段に記憶された補正データに対応する設置状況の中から、一の設置状況を選択する操作手段と、
前記操作手段によって選択された設置状況に対応する補正データを選択する補正データ選択手段と、
前記音響特性調整手段に設定されるパラメータを、前記補正データ選択手段によって選択された補正データによって補正するパラメータ補正手段と、
前記出力選択手段によって選択された前記内部スピーカまたは前記接続端子に対して、前記音響特性調整手段により音響特性を調整済みのオーディオ信号を供給する供給手段と
を具備することを特徴とするテレビ。
【請求項２】
前記接続端子に接続される外部スピーカ装置の種類を識別する識別手段をさらに具備し、
前記パラメータ選択手段は、前記識別手段によって識別された外部スピーカ装置の種類に対応するパラメータを選択する
ことを特徴とする請求項１に記載のテレビ。
【請求項３】
前記識別手段は、前記接続端子に接続される外部スピーカ装置の種類を、当該外部スピーカ装置に設けられた識別抵抗体の抵抗値を測定することによって識別する
ことを特徴とする請求項２に記載のテレビ。
【請求項４】
前記識別手段は、前記接続端子に接続される外部スピーカ装置の種類を、当該外部スピーカ装置に描画された図形を光学的に読み取ることによって識別する
ことを特徴とする請求項２に記載のテレビ。
【請求項５】
前記識別手段は、前記接続端子に接続される外部スピーカ装置の種類を、当該外部スピーカ装置の記憶手段に記憶された識別情報を取得することによって識別する
ことを特徴とする請求項２に記載のテレビ。
【請求項６】
前記識別手段は、無線通信手段を有し、
前記識別手段は、識別した外部スピーカ装置の種類を示す情報を、前記無線通信手段によって前記パラメータ選択手段に対して送信し、
前記パラメータ選択手段は、前記無線通信手段によって送信された情報を受信し、当該情報が示す外部スピーカ装置の種類に対応するパラメータを選択する
ことを特徴とする請求項２乃至請求項５のいずれかに記載のテレビ。
【請求項７】
入力される映像信号に基づいて、表示面に表示を行う表示手段と、前記表示面の周辺部に配置され、供給されるオーディオ信号を放音する内部スピーカと、外部スピーカ装置が接続され、供給されるオーディオ信号を当該接続される外部スピーカ装置に出力する接続端子とを有するテレビに用いられるオーディオ信号供給装置であって、
内部スピーカ用パラメータを記憶する第１の記憶手段と、
前記外部スピーカ装置の種類に対応した外部スピーカ装置用パラメータを複数記憶する第２の記憶手段と、
オーディオ信号が入力される入力手段と、
前記入力手段に入力されるオーディオ信号に対して、設定されるパラメータに基づいて音響特性の調整を行う音響特性調整手段と、
前記内部スピーカまたは前記接続端子のいずれかを選択する出力選択手段と、
前記第２の記憶手段に記憶された複数の外部スピーカ装置用パラメータから、一の外部スピーカ装置用パラメータを選択するパラメータ選択手段と、
前記出力選択手段によって前記内部スピーカが選択された場合には、前記第１の記憶手段に記憶された前記内部スピーカ用パラメータを前記音響特性調整手段に設定し、前記接続端子が選択された場合には、前記パラメータ選択手段によって選択された前記外部スピーカ装置用パラメータを前記音響特性調整手段に設定する設定手段と、
前記外部スピーカ装置の設置状況に対応した補正データを複数記憶する第３の記憶手段と、
前記第３の記憶手段に記憶された補正データに対応する設置状況の中から、一の設置状況を選択する操作手段と、
前記操作手段によって選択された設置状況に対応する補正データを選択する補正データ選択手段と、
前記音響特性調整手段に設定されるパラメータを、前記補正データ選択手段によって選択された補正データによって補正するパラメータ補正手段と、
前記出力選択手段によって選択された前記内部スピーカまたは前記接続端子に対して、前記音響特性調整手段により音響特性を調整済みのオーディオ信号を供給する供給手段と
を具備することを特徴とするオーディオ信号供給装置。
【請求項８】
入力される映像信号に基づいて、表示面に表示を行う表示手段と、前記表示面の周辺部に配置され、供給されるオーディオ信号を放音する内部スピーカと、外部スピーカ装置が接続され、供給されるオーディオ信号を当該接続される外部スピーカ装置に出力する接続端子と、内部スピーカ用パラメータを記憶する第１の記憶手段と、前記外部スピーカ装置の種類に対応した外部スピーカ装置用パラメータを複数記憶する第２の記憶手段と、前記外部スピーカ装置の設置状況に対応した補正データを複数記憶する第３の記憶手段とを具備するテレビに用いられるオーディオ信号処理方法であって、
オーディオ信号が入力される入力過程と、
前記入力過程において入力されるオーディオ信号に対して、設定されるパラメータに基づいて音響特性の調整を行う音響特性調整過程と、
前記内部スピーカまたは前記接続端子のいずれかを選択する出力選択過程と、
前記第２の記憶手段に記憶された複数の外部スピーカ装置用パラメータから、一の外部スピーカ装置用パラメータを選択するパラメータ選択過程と、
前記出力選択過程によって前記内部スピーカが選択された場合には、前記第１の記憶手段に記憶された前記内部スピーカ用パラメータを前記音響特性調整過程に設定し、前記接続端子が選択された場合には、前記パラメータ選択過程によって選択された前記外部スピーカ装置用パラメータを前記音響特性調整過程に設定する設定過程と、
前記第３の記憶手段に記憶された補正データに対応する設置状況の中から、一の設置状況を選択する操作過程と、
前記操作手段によって選択された設置状況に対応する補正データを選択する補正データ選択過程と、
前記音響特性調整手段に設定されるパラメータを、前記補正データ選択手段によって選択された補正データによって補正するパラメータ補正過程と、
前記出力選択過程によって選択された前記内部スピーカまたは前記接続端子に対して、前記音響特性調整過程により音響特性を調整済みのオーディオ信号を供給する供給過程と
を備えることを特徴とするオーディオ信号処理方法。
【発明の詳細な説明】
【技術分野】
【０００１】
本発明は、外部スピーカ装置使用時における音質調整の技術に関する。
【背景技術】
【０００２】
テレビの視聴時において、テレビの利用者は、そのテレビの内蔵スピーカや接続したヘッドホンからの放音によって音声を聴取する。このとき、テレビの内蔵スピーカから放音する場合と、ヘッドホンから放音する場合とでは、テレビの内蔵スピーカとヘッドホンの周波数特性が異なるため、内蔵スピーカとヘッドホンとを切り替えて用いる場合に、それぞれの周波数特性に応じて、オーディオ信号の周波数特性を補正して供給する技術がある（例えば、特許文献１）。
【特許文献１】特開２００４−６４１７２号公報
【発明の開示】
【発明が解決しようとする課題】
【０００３】
ところで、近年ではテレビは液晶ディスプレイなど薄型大画面テレビが主流となりつつあり、年々薄型化、大画面化が進んでいる。そして、テレビの筐体の大きさに対して、表示画面の領域を大きくするデザインにすることにより狭額縁化も進み、これまでその位置に配置されていた内部スピーカを小型化する必要があり、その音質が悪化することになっていた。そのため、このようなテレビの利用者は、音質に満足できない場合には、外部に高音質のスピーカ装置を設けて、そのスピーカ装置を用いてテレビの視聴を行うことが多くなってきた。また、複数の種類のスピーカ装置を設け、視聴内容に応じて使い分けるといった使用もされている。
【０００４】
ここで、特許文献１に開示された技術においては、テレビに接続されるヘッドホンの種類を変えたとしてもオーディオ信号の周波数特性の補正内容は変わらないが、ヘッドホンの周波数特性は大きく変わるものではないから所望の放音が得られる。一方、ヘッドホンではなくスピーカ装置の場合には、その種類によって周波数特性が大きく異なる場合が多い。ところが、特許文献１に開示された技術を用いたテレビにおいては、接続されるスピーカ装置の種類が変わっても、オーディオ信号の周波数特性の補正内容が変わることがないから所望の放音が得られない。
【０００５】
このように、外部接続するスピーカ装置には、単なる放音だけでは種類によって様々な周波数特性を持つことが多いから、所望の周波数特性を得るためにオーディオ信号を補正する音質調整回路を設ける必要があり、高コストの要因となっている。また、スピーカ装置がテレビ台などに組み込まれている場合、スピーカの配置を工夫することよって音質調整回路の負荷を減らすこともできる一方、スピーカの配置の制限により、外形のデザインの自由度が制限されることになっていた。
【０００６】
本発明は、上述の事情に鑑みてなされたものであり、外部接続する外部スピーカ装置を低コストかつ自由なデザインで提供可能とするテレビ、ＡＶシステム、オーディオ信号供給装置およびオーディオ信号処理方法を提供することを目的とする。
【課題を解決するための手段】
【０００７】
上述の課題を解決するため、本発明は、入力される映像信号に基づいて、表示面に表示を行う表示手段と、前記表示面の周辺部に配置され、供給されるオーディオ信号を放音する内部スピーカと、外部スピーカ装置が接続され、供給されるオーディオ信号を当該接続される外部スピーカ装置に出力する接続端子と、内部スピーカ用パラメータを記憶する第１の記憶手段と、前記外部スピーカ装置の種類に対応した外部スピーカ装置用パラメータを複数記憶する第２の記憶手段と、オーディオ信号が入力される入力手段と、前記入力手段に入力されるオーディオ信号に対して、設定されるパラメータに基づいて音響特性の調整を行う音響特性調整手段と、前記内部スピーカまたは前記接続端子のいずれかを選択する出力選択手段と、前記第２の記憶手段に記憶された複数の外部スピーカ装置用パラメータから、一の外部スピーカ装置用パラメータを選択するパラメータ選択手段と、前記出力選択手段によって前記内部スピーカが選択された場合には、前記第１の記憶手段に記憶された前記内部スピーカ用パラメータを前記音響特性調整手段に設定し、前記接続端子が選択された場合には、前記パラメータ選択手段によって選択された前記外部スピーカ装置用パラメータを前記音響特性調整手段に設定する設定手段と、前記外部スピーカ装置の設置状況に対応した補正データを複数記憶する第３の記憶手段と、前記第３の記憶手段に記憶された補正データに対応する設置状況の中から、一の設置状況を選択する操作手段と、前記操作手段によって選択された設置状況に対応する補正データを選択する補正データ選択手段と、前記音響特性調整手段に設定されるパラメータを、前記補正データ選択手段によって選択された補正データによって補正するパラメータ補正手段と、前記出力選択手段によって選択された前記内部スピーカまたは前記接続端子に対して、前記音響特性調整手段により音響特性を調整済みのオーディオ信号を供給する供給手段とを具備することを特徴とするテレビを提供する。
【０００８】
また、別の好ましい態様において、前記接続端子に接続される外部スピーカ装置の種類を識別する識別手段をさらに具備し、前記パラメータ選択手段は、前記識別手段によって識別された外部スピーカ装置の種類に対応するパラメータを選択してもよい。
【０００９】
また、別の好ましい態様において、前記識別手段は、前記接続端子に接続される外部スピーカ装置の種類を、当該外部スピーカ装置に設けられた識別抵抗体の抵抗値を測定することによって識別してもよい。
【００１０】
また、別の好ましい態様において、前記識別手段は、前記接続端子に接続される外部スピーカ装置の種類を、当該外部スピーカ装置に描画された図形を光学的に読み取ることによって識別してもよい。
【００１１】
また、別の好ましい態様において、前記識別手段は、前記接続端子に接続される外部スピーカ装置の種類を、当該外部スピーカ装置の記憶手段に記憶された識別情報を取得することによって識別してもよい。
【００１２】
また、別の好ましい態様において、前記識別手段は、無線通信手段を有し、前記識別手段は、識別した外部スピーカ装置の種類を示す情報を、前記無線通信手段によって前記パラメータ選択手段に対して送信し、前記パラメータ選択手段は、前記無線通信手段によって送信された情報を受信し、当該情報が示す外部スピーカ装置の種類に対応するパラメータを選択してもよい。
【００１８】
また、本発明は、入力される映像信号に基づいて、表示面に表示を行う表示手段と、前記表示面の周辺部に配置され、供給されるオーディオ信号を放音する内部スピーカと、外部スピーカ装置が接続され、供給されるオーディオ信号を当該接続される外部スピーカ装置に出力する接続端子とを有するテレビに用いられるオーディオ信号供給装置であって、内部スピーカ用パラメータを記憶する第１の記憶手段と、前記外部スピーカ装置の種類に対応した外部スピーカ装置用パラメータを複数記憶する第２の記憶手段と、オーディオ信号が入力される入力手段と、前記入力手段に入力されるオーディオ信号に対して、設定されるパラメータに基づいて音響特性の調整を行う音響特性調整手段と、前記内部スピーカまたは前記接続端子のいずれかを選択する出力選択手段と、前記第２の記憶手段に記憶された複数の外部スピーカ装置用パラメータから、一の外部スピーカ装置用パラメータを選択するパラメータ選択手段と、前記出力選択手段によって前記内部スピーカが選択された場合には、前記第１の記憶手段に記憶された前記内部スピーカ用パラメータを前記音響特性調整手段に設定し、前記接続端子が選択された場合には、前記パラメータ選択手段によって選択された前記外部スピーカ装置用パラメータを前記音響特性調整手段に設定する設定手段と、前記外部スピーカ装置の設置状況に対応した補正データを複数記憶する第３の記憶手段と、前記第３の記憶手段に記憶された補正データに対応する設置状況の中から、一の設置状況を選択する操作手段と、前記操作手段によって選択された設置状況に対応する補正データを選択する補正データ選択手段と、前記音響特性調整手段に設定されるパラメータを、前記補正データ選択手段によって選択された補正データによって補正するパラメータ補正手段と、前記出力選択手段によって選択された前記内部スピーカまたは前記接続端子に対して、前記音響特性調整手段により音響特性を調整済みのオーディオ信号を供給する供給手段とを具備することを特徴とするオーディオ信号供給装置を提供する。
【００１９】
また、本発明は、入力される映像信号に基づいて、表示面に表示を行う表示手段と、前記表示面の周辺部に配置され、供給されるオーディオ信号を放音する内部スピーカと、外部スピーカ装置が接続され、供給されるオーディオ信号を当該接続される外部スピーカ装置に出力する接続端子と、内部スピーカ用パラメータを記憶する第１の記憶手段と、前記外部スピーカ装置の種類に対応した外部スピーカ装置用パラメータを複数記憶する第２の記憶手段と、前記外部スピーカ装置の設置状況に対応した補正データを複数記憶する第３の記憶手段とを具備するテレビに用いられるオーディオ信号処理方法であって、オーディオ信号が入力される入力過程と、前記入力過程において入力されるオーディオ信号に対して、設定されるパラメータに基づいて音響特性の調整を行う音響特性調整過程と、前記内部スピーカまたは前記接続端子のいずれかを選択する出力選択過程と、前記第２の記憶手段に記憶された複数の外部スピーカ装置用パラメータから、一の外部スピーカ装置用パラメータを選択するパラメータ選択過程と、前記出力選択過程によって前記内部スピーカが選択された場合には、前記第１の記憶手段に記憶された前記内部スピーカ用パラメータを前記音響特性調整過程に設定し、前記接続端子が選択された場合には、前記パラメータ選択過程によって選択された前記外部スピーカ装置用パラメータを前記音響特性調整過程に設定する設定過程と、前記第３の記憶手段に記憶された補正データに対応する設置状況の中から、一の設置状況を選択する操作過程と、前記操作手段によって選択された設置状況に対応する補正データを選択する補正データ選択過程と、前記音響特性調整手段に設定されるパラメータを、前記補正データ選択手段によって選択された補正データによって補正するパラメータ補正過程と、前記出力選択過程によって選択された前記内部スピーカまたは前記接続端子に対して、前記音響特性調整過程により音響特性を調整済みのオーディオ信号を供給する供給過程とを備えることを特徴とするオーディオ信号処理方法を提供する。
【発明の効果】
【００２０】
本発明によれば、外部接続する外部スピーカ装置を低コストかつ自由なデザインで提供可能とするテレビ、ＡＶシステム、オーディオ信号供給装置およびオーディオ信号処理方法を提供することができる。
【発明を実施するための最良の形態】
【００２１】
以下、本発明の一実施形態について説明する。
【００２２】
＜実施形態＞
本発明の実施形態に係るテレビ１は、液晶ディスプレイ、プラズマディスプレイ、有機ＥＬディスプレイなどの薄型テレビであり、内部にスピーカを有するとともに、外部にスピーカ装置を接続するための端子を有している。テレビ１の構成について、図１、図２を用いて説明する。図１は、テレビ１の構成を示すブロック図であり、図２は、テレビ１の外観を示す説明図である。なお、テレビ１は、図示しないＣＰＵ（Ｃｅｎｔｒａｌ  Ｐｒｏｃｅｓｓｉｎｇ  Ｕｎｉｔ）を有し、このＣＰＵは、テレビ１の各部を制御している。
【００２３】
信号出力部１０は、テレビチューナ、ＤＶＤ（Ｄｉｇｉｔａｌ  Ｖｅｒｓａｔｉｌｅ  Ｄｉｓｃ）再生装置などからのデータを受信することにより、また、図示しないＣＰＵの制御に応じて、映像信号とオーディオ信号を生成し、映像信号については映像信号入力部１１を介して表示部１２へ、オーディオ信号についてはオーディオ信号入力部２１を介して音質調整部２２へ出力する。
【００２４】
表示部１２は、液晶ディスプレイ、プラズマディスプレイ、有機ＥＬディスプレイなどの表示デバイスであって、表示面１２−Ｄに、映像信号入力部１１から入力された映像信号に基づいた表示を行う。表示面１２−Ｄは、図２に示すように、筐体５０の正面に配置されている。
【００２５】
音質調整部２２は、オーディオ信号入力部２１から入力されたオーディオ信号について、後述するパラメータ設定部２３から設定されるパラメータに基づいて音響特性の調整を行う。本実施形態においては、音響特性は周波数特性であって、音質調整部２２は、設定されたパラメータに基づいてオーディオ信号の周波数特性を調整するイコライザである。そして、周波数特性が調整されたオーディオ信号を増幅部２６に出力する。
【００２６】
操作部２４は、リモコンなどを有し、テレビ１の利用者が操作部２４を操作すると、その操作内容を表す情報が図示しないＣＰＵへ出力される。操作部２４は、テレビ１の内部スピーカ２８から放音させるか、接続端子２９に接続される外部スピーカ装置１００から放音させるかを選択する操作により、パラメータ設定部２３および切替供給部２７に対して、内部スピーカまたは接続端子を示す切替情報を出力する。ここで、リモコンは、操作キーと、操作キーの操作に応じた信号を電波や赤外線などにより送信する無線通信手段とを有し、操作部２４は、リモコンから送信される信号を受信する受信手段を有する。そして、操作部２４は受信手段が受信した信号に基づいて操作内容を判別する。
【００２７】
また、操作部２４の操作によって、接続端子２９に接続される外部スピーカ装置１００の種類を入力すると、この種類を示す種類情報をパラメータ設定部２３に出力する。なお、これらの選択、入力時には、表示部１２の表示面１２−Ｄに、この選択内容、入力内容を示す表示を行なってもよい。また、後述する記憶部２５に外部スピーカ用パラメータが記憶されている外部スピーカ装置１００の種類を、表示面１２−Ｄに表示させて、表示された中から選択することにより、接続される外部スピーカ装置１００の種類を入力するようにしてもよい。
【００２８】
ここで、外部スピーカ装置１００とは、様々なスピーカ装置が用いられるが、例えば、外部スピーカ装置１００は、図３に示すように、スピーカ１０１が２つ設置されたテレビ台である。この外部スピーカ装置１００は、オーディオ信号の周波数特性などの音響特性を調整する回路、アンプなどは有さず、各スピーカ１０１に供給されたオーディオ信号をそのまま放音する。このように、外部スピーカ装置１００は、音響特性を調整する回路などを有さないため、低コストの装置とすることができる。
【００２９】
記憶部２５は、音質調整部２２に設定されるパラメータが記憶されている。図４に示すように、記憶部２５には、内部スピーカ２８の周波数特性に基づいて生成された内部スピーカ用パラメータと、外部スピーカ装置１００が有する固有の周波数特性に基づいて生成された外部スピーカ用パラメータとが記憶されている。特に、外部スピーカ用パラメータについては、「外部スピーカ装置Ａ」、「外部スピーカ装置Ｂ」、「外部スピーカ装置Ｃ」、・・・として、外部スピーカ装置の種類に対応した外部スピーカ用パラメータが記憶されている。すなわち、外部スピーカ用パラメータのうち、「外部スピーカ装置Ａ」に対応したパラメータは、「外部スピーカ装置Ａ」が有する固有の周波数特性に基づいて生成された「外部スピーカ装置Ａ」専用のパラメータとなっている。このパラメータは、各周波数帯域において、どの程度のゲインを行うかを示すものであり、音質調整部２２は、設定されるパラメータが示す内容に応じて、入力されたオーディオ信号の周波数特性の調整を行う。ここで、外部スピーカ装置の種類とは、本実施形態においては、外部スピーカ装置１００の機種を示すものとする。なお、外部スピーカ装置の種類は、外部スピーカ装置１００の同一機種内の個々を示すものとしてもよく、この場合には、各外部スピーカ用パラメータは、個々の周波数特性の個体差に応じたものとすることができる。また、外部スピーカ装置の種類は、外部スピーカ装置１００の複数機種をまとめたものを示してもよく、同じ周波数特性をもつ機種は同一の種類とすることで、重複するパラメータを記憶しないようにすることもできる。このように、外部スピーカ装置の種類の分類は、固有の周波数特性が同一である、または同一とみなせる外部スピーカ装置１００を１種類として行われるようにすればよい。
【００３０】
パラメータ設定部２３は、操作部２４から出力される切替情報および種類情報に基づいて、記憶部２５からパラメータを読み出し、音質調整部２２に設定する。パラメータ設定部２３は、切替情報が入力されると、その切替情報が内部スピーカを示す場合には、内部スピーカから放音させるものとして、記憶部２５から内部スピーカ用パラメータを読み出して音質調整部２２に設定する。一方、切替情報が接続端子を示す場合には、記憶部２５から外部スピーカ用パラメータを読み出すが、このときには、入力された種類情報が示す外部スピーカ装置の種類に対応した外部スピーカ用パラメータを読み出して、音質調整部２２に設定する。例えば、種類情報が「外部スピーカ装置Ｂ」を示す場合には、外部スピーカ用パラメータのうち、「外部スピーカ装置Ｂ」に対応したパラメータを読み出して音質調整部２２に設定する。
【００３１】
増幅部２６は、入力されたオーディオ信号を所定の増幅率で増幅するアンプであって、増幅したオーディオ信号を切替供給部２７に出力する。所定の増幅率は、操作部２４、図示しないボリュームなどを操作することによって設定される音量値に応じて変化する。
【００３２】
切替供給部２７は、入力されるオーディオ信号を、操作部２４からの切替情報の内容に応じて、内部スピーカ２８または接続端子２９に出力する。すなわち、切替情報が内部スピーカを示している場合には、増幅部２６から入力されたオーディオ信号を内部スピーカ２８へ供給する。一方、切替情報が接続端子を示している場合には、増幅部２６から入力されたオーディオ信号を接続端子２９へ供給する。
【００３３】
内部スピーカ２８は、供給されるオーディオ信号を放音する。このオーディオ信号は、音質調整部２２において内部スピーカ用パラメータに基づいて周波数特性を調整済みのオーディオ信号となる。
【００３４】
内部スピーカ２８は、図２に示すように、表示面１２−Ｄの周辺部に配置され、本実施形態においては、筐体５０の内部であって、表示面１２−Ｄの左右に配置されている。また筐体５０内の内部スピーカ２８からの放音が筐体５０の外部に放出される開口部が、筐体５０の正面方向に設けられている。内部スピーカ２８が配置される領域は、表示面１２−Ｄの領域に比べて非常に小さく、筐体５０の正面方向における表示面１２−Ｄ以外の領域（以下、額縁という）の一部に設けられている。そして、この筐体５０は、支持台５１、回転軸体５２によって支持されている。
【００３５】
このように、テレビ１の全体の大きさに比べて表示面１２−Ｄの領域の割合を大きくするデザインが用いられ、額縁が非常に狭くなっているため、この額縁の部分に配置しなくてはならないスピーカは、配置できる空間の容積が狭いために高品質な音質で放音可能なスピーカを用いることができない。なお、本実施形態は一例であって、内部スピーカ２８は、表示面１２−Ｄを有する筐体５０内に配置されている場合に限られず、表示面１２−Ｄを有する筐体５０と接続された別の筐体に配置されていてもよい。また、開口部の方向、スピーカの配置方向などは、設計に応じて様々な態様とすることができる。
【００３６】
接続端子２９は、様々な種類の外部スピーカ装置１００が接続され、供給されるオーディオ信号を接続される外部スピーカ装置１００に出力する。このオーディオ信号は、音質調整部２２において外部スピーカ用パラメータに基づいて周波数特性を調整済みのオーディオ信号となる。以上が、テレビ１の構成の説明である。
【００３７】
次に、テレビ１の動作について説明する。テレビ１の接続端子２９には、外部スピーカ装置１００が接続されている。この外部スピーカ装置の種類は、「外部スピーカ装置Ｃ」とする。
【００３８】
テレビ１の利用者は、内部スピーカ２８から放音させたいときに、操作部２４を操作して内部スピーカを選択すると、操作部２４から内部スピーカを示す切替情報がパラメータ設定部２３および切替供給部２７に出力される。そして、音質調整部２２には内部スピーカ用パラメータが設定される。これにより、内部スピーカ用パラメータに基づいて周波数特性を調整済みのオーディオ信号が内部スピーカ２８から放音される。
【００３９】
続いて、外部スピーカ装置１００から放音させたいときには、利用者は操作部２４を操作して接続端子を選択するとともに、接続端子２９に接続される外部スピーカ装置１００の種類「外部スピーカ装置Ｃ」を入力する。これにより、操作部２４から接続端子を示す切替情報がパラメータ設定部２３および切替供給部２７に出力される。パラメータ設定部２３には、さらに「外部スピーカ装置Ｃ」を示す種類情報が出力される。そして、音質調整部２２には、「外部スピーカ装置Ｃ」に対応する外部スピーカ用パラメータが設定され、この外部スピーカ用パラメータに基づいて周波数特性を調整済みのオーディオ信号が接続端子２９に供給される。
【００４０】
外部スピーカ装置１００は、接続端子２９からオーディオ信号が入力され、このオーディオ信号を放音する。ここで、内部スピーカ２８にはオーディオ信号が供給されないから、内部スピーカ２８からは放音されない。
【００４１】
ここでは、接続端子２９に接続されている外部スピーカ装置１００の種類は「外部スピーカ装置Ｃ」としたが、接続端子２９に接続される外部スピーカ装置１００の種類を変更して、例えば「外部スピーカ装置Ａ」とする場合には、操作部２４の操作により「外部スピーカ装置Ａ」を入力し、音質調整部２２に設定されるパラメータを「外部スピーカ装置Ａ」に対応する外部スピーカ用パラメータに変更すればよい。
【００４２】
このように、本発明の実施形態に係るテレビ１は、音質調整部２２に設定されるオーディオ信号の周波数特性調整時のパラメータについて、内部スピーカ用パラメータとは別に、外部スピーカ装置１００の種類に対応した外部スピーカ用パラメータを記憶部２５に複数記憶している。接続端子２９に接続された外部スピーカ装置１００の種類に対応した外部スピーカ用パラメータを選択して、音質調整部２２に設定することにより、外部スピーカ装置１００の種類が変わっても、同様な周波数特性の放音を行うことができる。
【００４３】
そして、外部スピーカ装置１００において、オーディオ信号の周波数特性の調整を行うかわりに、テレビ１において周波数特性の調整を行うから、外部スピーカ装置１００には、音響特性の調整回路を用いる必要が無く、低コストの装置とすることができる。また、スピーカの配置により周波数特性の調整を行わなくてもよいから、外部スピーカ装置１００のデザインの自由度を向上させることができる。
【００４４】
さらに、外部スピーカ装置１００自体の周波数特性を生かした放音をすることができる。すなわち、一般的な外部スピーカ装置１００においては、周波数特性の調整が行われ、感度が低い周波数帯域にあわせるために、感度が高い周波数帯域の出力を抑える調整が行われる。一方、本発明の実施形態に係るテレビ１に接続される外部スピーカ装置１００は、このような調整を行う必要がなく、感度の高い周波数帯域は、感度が高いまま放音することができるから、効率よく放音することができる。
【００４５】
上記の効率よく放音することができるという効果について、具体例を図５、図６を用いて説明する。外部スピーカ装置１００は、図５（ａ）に示すように、高周波数帯域を放音するツィータ１０１−１、低周波数帯域を放音するウーファ１０１−２を有している。ツィータ１０１−１とウーファ１０１−２とは、各周波数帯域において同じ出力レベルのオーディオ信号が入力されても、ツィータ１０１−１とウーファ１０１−２の能率の違いから図５（ｂ）の実線で示すように、出力音圧が周波数帯域によって異なり、入力されるオーディオ信号に対する感度が異なる場合がある。従来は、この感度が周波数帯域によって異ならないように、能率の高いスピーカ（図５の場合にはツィータ１０１−１）の能率を下げ、破線で示すような特性になるようにしていた。これは、例えば、図６（ａ）に示すように、抵抗Ｒ１、Ｒ２を用いて実現していた。
【００４６】
一方、本発明の実施形態に係るテレビ１は、音質調整部２２において、接続端子２９に接続される外部スピーカ装置１００の種類に応じて、オーディオ信号に対する調整を行うことができる。外部スピーカ装置１００が図５（ｂ）の実線で示すような周波数特性を持っている場合には、この外部スピーカ装置１００の種類に対応する外部スピーカ用パラメータは、図５（ｃ）に示すように、低周波数帯域におけるオーディオ信号の出力レベルを相対的に増加させるようなパラメータとなっている。そして、音質調整部２２は、このパラメータに応じてオーディオ信号の周波数特性の調整を行うから、外部スピーカ装置１００は、図６（ｂ）に示すように抵抗Ｒ１、Ｒ２を用いずに、能率の高いスピーカをそのまま用いても、出力音圧が周波数依存性を持たないようにすることができる。これにより、外部スピーカ装置１００の駆動電力を少なくすることができ、効率のよい放音が可能となる。
【００４７】
以上、本発明の実施形態について説明したが、本発明は以下のように、さまざまな態様で実施可能である。
【００４８】
＜変形例１＞
上述した実施形態においては、外部スピーカ装置１００が接続される端子は、増幅部２６からのオーディオ信号が供給される接続端子２９であったが、図７に示すように、増幅部２６における増幅が行われる前のオーディオ信号、すなわち音質調整部２２において周波数特性が調整されたオーディオ信号が供給される第２接続端子３０を設けてもよい。この場合は、音質調整部２２と増幅部２６との間に切替供給部３１を設け、操作部２４からの切替情報が内部スピーカを示す場合には増幅部２６に対して、接続端子を示す場合には増幅部２６および第２接続端子３０に対して、音質調整部２２から入力される周波数特性が調整されたオーディオ信号を出力するようにすればよい。
【００４９】
なお、切替供給部３１は、切替情報が接続端子を示すときには種類情報も取得して、種類情報が示す外部スピーカ装置１００がアンプを有している場合には、第２接続端子にオーディオ信号を出力し、アンプを有していない場合には、増幅部２６にオーディオ信号を出力するようにしてもよい。ここで、種類情報が示す外部スピーカ装置１００がアンプを有しているか否かについては、操作部２４の操作によって入力して種類情報にアンプ有無の情報が含まれるようにし、この情報に基づいて判断してもよいし、記憶部２５に外部スピーカ装置１００の種類とアンプの有無との対応テーブルを記憶させ、この種類情報と対応テーブルとを参照して判断してもよい。
【００５０】
このようにすると、外部スピーカ装置１００が入力されたオーディオ信号を増幅するアンプを有している場合であっても、第２接続端子３０に接続することができるから、アンプの有無にかかわらず外部スピーカ装置１００をテレビ１に接続することができる。なお、外部スピーカ装置１００がアンプを有し、さらに周波数特性を調整する回路を有している場合には、音質調整部２２におけるオーディオ信号の調整が行われない、すなわちフラットな特性のまま出力するパラメータが設定されるようにしてもよい。周波数特性を調整する回路を有しているか否かの判断は、アンプの有無の判断と同様にして行えばよい。
【００５１】
＜変形例２＞
上述した実施形態においては、音質調整部２２は、オーディオ信号の周波数特性を調整するイコライザとしていたが、外部スピーカ装置１００におけるスピーカ１０１の配置の違い、特性の違いなどにより変化する音響特性を調整するものであれば、どのような特性を調整するようにしてもよい。例えば、サラウンド効果は、スピーカ１０１間の距離などに応じて変化する場合がある。このようなサラウンド効果を外部スピーカ装置１００の種類が変わっても一定にするためのパラメータを外部スピーカ装置１００の種類に対応して記憶部２５に記憶させる。そして、音質調整部２２は、設定されるパラメータに応じてサラウンド効果を与える調整を入力されるオーディオ信号に施すようにすればよい。
【００５２】
＜変形例３＞
上述した実施形態においては、音質調整部２２は、オーディオ信号の周波数特性を設定されたパラメータに基づいて調整し、外部スピーカ装置１００の設置状況にかかわらず、同じ調整を行っていたが、設置状況に応じて調整内容を変更するようにしてもよい。この場合には、図８に示すように、記憶部２５に壁際、部屋隅などの設置状況に対応する補正データを記憶させる。そして、操作部２４の操作によって設置状況を入力すると、操作部２４から設置状況情報がパラメータ設定部２３に出力され、パラメータ設定部２３は、設置状況情報が示す設置状況に対応する補正データを記憶部２５から読み出す。そして、音質調整部２２に設定する外部スピーカ用パラメータ、または設定されたパラメータを、読み出した補正データに基づいて補正するようにすればよい。
【００５３】
外部スピーカ装置１００が壁際に設置されると、低音の壁面反射の効果が大きくなり、低音が強化された放音となる。これは部屋隅などに設置され、近くの壁面が増えるほど効果が大きくなる。補正データは、このような効果を抑えるために音質調整部２２に設定されるパラメータを補正するデータであって、例えば低周波数帯域の出力を低下させるようなデータである。そして、外部スピーカ用パラメータに対して、この補正データによる補正を行うことによって、補正されない場合に比べ、オーディオ信号の低周波数帯域の出力が低下するような調整が行われることになる。これにより、壁面反射によって低音が強化される部分についても予め調整されたオーディオ信号となるから、外部スピーカ装置１００は、設置状況が変わっても安定した周波数特性の放音を行うことができる。なお、周波数特性を補正するものであれば、設置状況に限られない。例えば、映画、音楽、ニュースなど視聴内容に応じて周波数特性を補正するようにしてもよく、あわせて映像信号を補正して、明るさ、コントラストなどを変化させるようにしてもよい。
【００５４】
ここで、操作部２４の操作によって、外部スピーカ装置１００の設置状況を入力するときには、図示しないＣＰＵは、記憶部２５に記憶された補正データを参照して、表示部１２の表示面１２−Ｄに、図９に示すように、設置状況を示す表示を行うようにしてもよい。そして、操作部２４の操作によってポインタＰを動かし、入力したい設置状況を選択することにより、設置状況情報が出力されるようにしてもよい。
【００５５】
＜変形例４＞
上述した実施形態においては、音質調整部２２は、オーディオ信号の周波数特性を調整するイコライザであったが、さらに残響効果などの別の音響効果を付加する機能を設けてもよい。どのような音響効果を付加するかについては、操作部２４の操作により決定すればよく、例えば変形例３と同様、図９に示したように表示面１２−Ｄに表示させて選択するようにしてもよい。このとき、「部屋状況」を選択すると、部屋の状況として例えば部屋の広さ、形状、壁面の反射率などが選択できる表示が行われ、「音響効果」を選択すると、付加したい音響効果を選択できる表示が行われる。
【００５６】
＜変形例５＞
上述した実施形態においては、接続端子２９に接続される外部スピーカ装置１００の種類を示す種類情報は、外部スピーカ装置１００の種類を利用者が判断し、操作部２４を操作して外部スピーカ装置１００の種類を入力することによって生成していたが、図１０に示すように、外部スピーカ装置１００の種類を識別する識別部４１を設けて、操作部２４は、識別部４１によって識別された外部スピーカ装置１００の種類を示す種類情報を生成するようにしてもよい。以下、この場合の構成の例を説明する。
【００５７】
第１に、図１１に示すように、外部スピーカ装置１００に、その種類ごとに異なる抵抗値の識別抵抗体１０４を有するようにし、記憶部２５は、抵抗値に対応した外部スピーカ用パラメータを複数記憶しておく。そして、識別部４１は、測定端子１０５を介して識別抵抗１０４の抵抗値を測定して操作部２４に出力し、操作部２４は、その抵抗値を示す種類情報をパラメータ設定部２３に出力する。そして、パラメータ設定部２３は、種類情報が示す抵抗値に対応する外部スピーカ用パラメータを記憶部２５から読み出して、音質調整部２２に設定するようにすればよい。このように識別部４１が、外部スピーカ装置１００の識別抵抗体１０４の抵抗値を測定することにより外部スピーカ装置１００の種類を識別することができる。
【００５８】
なお、外部スピーカ装置１００に対応する抵抗値については、ある程度の抵抗値のばらつきを考慮して、所定の範囲の抵抗値とすればよい。すなわち、記憶部２５に記憶される複数の外部スピーカ用パラメータの各々に対応する抵抗値は所定の範囲をもって対応付けられているようにすることが望ましい。また、記憶部２５に記憶される外部スピーカ用パラメータは実施形態と同様とし、外部スピーカ装置１００の種類と抵抗値とを対応付ける対応テーブルを記憶部２５に記憶させて、パラメータ設定部２３は、この対応テーブルと種類情報とから読み出すべきパラメータを判断するようにしてもよい。
【００５９】
また、図１２に示すように、識別抵抗体１０４と直列にＬＥＤ（Ｌｉｇｈｔ  Ｅｍｉｔｔｉｎｇ  Ｄｉｏｄｅ）１１０などの発光素子を設けて、識別抵抗体１０４を測定しているときに、発光させるようにしてもよい。構成の一例として、識別部４１は、識別抵抗体１０４およびＬＥＤ１１０に電流ｉｃを供給する定電流源４１１と、２つの測定端子１０５間の電圧を測定する電圧判別部４１２を有するようにすればよい。そして、測定した電圧と電流ｉｃから抵抗値を算出すればよい。そして、図３に示すようにＬＥＤ１１０を配置すれば、識別抵抗体１０４の抵抗値を測定中であるか否かを視認できる。なお、識別抵抗体１０４の抵抗値をＬＥＤ１１０の発光時の抵抗値に比べて十分大きくするようにすれば、ＬＥＤ１１０における電圧降下を無視することができる。また、識別抵抗体１０４の抵抗値が低い場合には、ＬＥＤ１１０の発光時の抵抗値を加えた抵抗値が、外部スピーカ装置１００の種類を示す抵抗値となるように各抵抗値を設定すればよい。
【００６０】
第２に、図３に示すように、外部スピーカ装置１００に、その種類ごとに異なるバーコード、２次元コードなどの図形１０７を描画しておくようにしておく。そして、識別部４１は、外部スピーカ装置１００に描画された図形１０７をＬＥＤ、光センサ、ＣＣＤ（Ｃｈａｒｇｅ  Ｃｏｕｐｌｅｄ  Ｄｅｖｉｃｅ）などを用いたスキャナによって光学的に読み取って、外部スピーカ装置１００の種類を識別するようにすればよい。なお、図形と種類との対応は上記のように対応テーブルを用意しておいてもよいし、外部スピーカ用パラメータと図形とを直接対応させるようにしておいてもよい。
【００６１】
第３に、図１３に示すように、外部スピーカ装置１００に、その種類を識別する識別情報を記憶するフラッシュメモリ、ＲＯＭ（Ｒｅａｄ  Ｏｎｌｙ  Ｍｅｍｏｒｙ）などの識別情報記憶部１０６を設けておく。そして、識別部４１は、この識別情報記憶部１０６に記憶された識別情報を取得して、外部スピーカ装置１００の種類を識別するようにしてもよい。この識別情報が記憶される識別情報記憶部１０６が、例えば、ＲＦＩＤ（Ｒａｄｉｏ  Ｆｒｅｑｕｅｎｃｙ  ＩＤｅｎｔｉｆｉｃａｔｉｏｎ）技術を用いたタグの記憶手段に記憶されたものとし、識別手段にこのタグの記憶手段に記憶された情報を読み取るリーダを設ければ、無線で識別情報を取得することもできる。
【００６２】
また、識別情報記憶部１０６は、図１４に示すような構成としてもよい。すなわち、識別情報記憶部１０６は、複数の測定端子１０５および基準端子１０８に接続されている。複数の測定端子１０５の各々は、基準端子１０８と短絡状態または開放状態となっている。そして、測定端子１０５の位置と、各測定端子１０５に対応する短絡状態と開放状態との組み合わせを、外部スピーカ装置１００の種類を識別する識別情報とすればよい。この場合、識別部４１は、複数の測定端子１０５の各々について短絡状態であるか開放状態であるかについて、各測定端子１０５に微少電流を供給するなどして認識し、その組み合わせによって外部スピーカ装置１００の種類を識別するようにすればよい。これにより、例えば測定端子１０５がｎ個である場合には、２ｎ種類の外部スピーカ装置１００を示すことができる。
【００６３】
上記のように、様々な方法によって外部スピーカ装置１００の種類を識別することができる。なお、識別部４１は、操作部２４のリモコンなどに設けられることで、外部スピーカ装置１００の種類を識別する処理を利用者が容易に行うことができる。この場合、リモコンは、無線通信手段を用いて操作部２４の受信手段に識別した結果を送信するようにすればよい。また、外部スピーカ装置１００に測定端子１０５が設けられている場合には、テレビ１の接続端子２９と外部スピーカ装置１００とを接続するラインと、識別部４１と測定端子１０５とを接続するラインとを一つの接続コネクタにまとめて構成し、テレビ１と外部スピーカ装置１００との接続を容易なものとしてもよい。
【００６４】
＜変形例６＞
上述した実施形態において、接続端子２９に接続される外部スピーカ装置１００の種類に対応する外部スピーカ用パラメータが記憶部２５に記憶されていない場合には、外部から取得して、外部スピーカ装置１００の種類に対応させて、記憶部２５に記憶されるようにしてもよい。この場合には、図１５に示すように、様々な外部スピーカ装置１００の種類に対応する外部スピーカ用パラメータを取得し、記憶部２５に記憶させるデータ取得部４０を設ければよい。
【００６５】
データ取得部４０は、例えば、必要な外部スピーカ装置１００の種類に対応する外部スピーカ用パラメータを、ネットワークを介して配信サーバなどから受信して取得するようにしてもよいし、外部の記憶媒体から読み出して取得するようにしてもよい。また、外部スピーカ装置１００が、対応する外部スピーカ用パラメータが記憶された記憶手段を有する場合には、データ取得部４０は、外部スピーカ装置１００の記憶手段から外部スピーカ用パラメータを読み出して取得するようにすればよい。なお、データ取得部４０によって外部スピーカ装置１００の種類に対応する外部スピーカ用パラメータを取得することができない場合には、フラットな周波数特性のパラメータが音質調整部２２に設定されるようにしてもよい。
【００６６】
＜変形例７＞
上述した実施形態においては、内部スピーカ２８および接続端子に供給されるオーディオ信号は、双方同じ増幅部２６において増幅されたオーディオ信号であったが、各々異なる増幅部２６において増幅されたオーディオ信号を用いてもよい。この場合には、図１６に示すように、切替供給部２７と内部スピーカ２８との間に増幅部２６−１、切替供給部２７と接続端子２９との間に増幅部２６−２を設けるようにすればよい。このようにすると、増幅部２６−１は、内部スピーカ２８に合わせた低出力のアンプとし、増幅部２６−２は、様々な外部スピーカ装置１００に対応するため、高出力のアンプとすることもできる。
【００６７】
ここで、増幅部２６−２については、接続端子２９に接続される外部スピーカ装置１００の種類によって入力インピーダンスが異なる場合に、入力インピーダンスに対応して出力インピーダンスが変更できるようにしてもよいし、出力インピーダンスごとに異なる接続端子２９を設けてもよい。このように出力インピーダンスの変更を行う場合には、外部スピーカ装置１００の種類と入力インピーダンスの対応を示す対応テーブルを記憶部２５に記憶しておき、増幅部２６−２は、操作部２４から出力される種類情報と記憶部２５に記憶された対応テーブルに基づいて、接続端子２９に接続される外部スピーカ装置１００の入力インピーダンスを認識するようにすればよい。なお、実施形態における増幅部２６についても同様に出力インピーダンスを変更できるようにしてもよい。
【００６８】
＜変形例８＞
上述した実施形態における記憶部２５に記憶される外部スピーカ用パラメータは、各種類の外部スピーカ装置１００について、これを放音させ、周波数特性などの音響特性を測定した測定結果を解析することによって生成したパラメータであってもよいし、外部スピーカ装置１００のスピーカ、スピーカ配置、筐体、内部構造などからシミュレーションにより生成されたパラメータであってもよい。すなわち、外部スピーカ用パラメータは、外部スピーカ装置１００の固有の周波数特性に基づいて生成されていれば、どのように生成されていてもよく、外部スピーカ装置の種類に対応する専用の外部スピーカ用パラメータとなっていればよい。
【００６９】
＜変形例９＞
上述した実施形態におけるテレビ１は薄型化により内部スピーカ２８の音質が悪化してしまうことになる。音質の向上を行うために、外部スピーカ装置１００を設けている。したがって、外部スピーカ装置１００の縦、横、奥行きのそれぞれの長さが、テレビ１の筐体５０の奥行き（表示面１２−Ｄと垂直方向）より大きいことが望ましい。また、外部スピーカ装置１００のスピーカが格納されるエンクロージャの容積は、筐体５０などの内部スピーカ２８が格納されるエンクロージャの容積よりも広いことが望ましい。
【００７０】
＜変形例１０＞
上述した実施形態におけるテレビ１に接続される外部スピーカ装置１００は、例えば図３に示すようなものとしていた。以下、テレビ１に接続される外部スピーカ装置１００の他の例について説明する。
【００７１】
第１の例とする外部スピーカ装置１００は、図１７（ａ）に示すように、筐体１６０の上面中心付近に回転台１５０を有している。この回転台１５０の上にテレビ１を乗せることにより、テレビ１の表示面１２−Ｄの向きを容易に所望の方向に向けることができる。また、回転台１５０の中心部に円柱状の開口部１５１を設けてもよい。図１７（ｂ）は、開口部１５１を有する場合における回転台１５０の中心軸を通る面での断面形状を示す図である。回転支持部ローラ１５２は、回転台１５０と筐体１６０との間に設けられ、筐体１６０上で、回転台１５０を回転させることができるようになっている。また、回転台１５０の中心軸部分に対応する筐体１６０には凸部が設けられ、対応するように回転台１５０には凹部が設けられている。これにより回転軸体５２を維持する。
【００７２】
そして、テレビ１の支持台５１が回転軸体５２から取り外しができる構成としておけば、テレビ１の回転軸体５２を開口部１５１に挿入することにより、テレビ１の筐体５０を支持することができる。このとき、回転軸体５２と回転台１５０が結合状態となるように、開口部１５１の内部に回転軸体５２と回転台１５０の相対位置関係を固定するための固定手段を設けるようにしてもよい。なお、回転台１５０の上面部、または開口部１５１内の面にテレビ１の接続端子２９と接続するためのオーディオ信号入力端子１０２を設けてもよい。開口部１５１内の面に設ける場合には、テレビ１の回転軸体５２に接続端子２９が設けられていることが望ましい。このようにすれば、回転台１５０を回転してもテレビ１とオーディオ信号入力端子１０２との相対位置関係が変化しなくなるから、テレビ１と外部スピーカ装置１００を接続する接続ケーブルなどの長さに制限されずに回転台１５０を回転させることができる。
【００７３】
第２の例とする外部スピーカ装置１００は、図１８（ａ）に示すように、スピーカ１０１が１面に設けられた長方体の２つの筐体（以下、筐体１７０−Ａ、１７０−Ｂという）、およびスピーカ１０１が設けられた面と反対側の面を通じて、この２つの筐体を接続する筐体（以下、筐体１７０−Ｃという）から構成されるＵ字型筐体１７０を有し、概ねＵ字型の形状となっている。このような形状とすることにより、テレビ１の支持台５１および回転軸体５２を避けて設置することができるから、テレビ１が設置されるテレビ台などの上面とテレビ１の筐体５０との間にできる空間を有効に利用した外部スピーカ装置１００とすることができる。なお、図１８（ａ）においては、筐体１７０−Ａ、１７０−Ｂと筐体１７０−Ｃの接続部分は角を持った形状となっているが、概ねＵ字型になっていればよく、角を落として曲面で接続されていてもよい。
【００７４】
このような外部スピーカ装置１００は、筐体１７０−Ｃの領域に低周波数帯域の音を出力するサブウーファ１８０を設けることもできる。また、図１８（ａ）に示すように、Ｕ字型筐体１７０の内側の面、すなわち筐体１７０−Ａと筐体１７０−Ｂとが対向する各面およびに筐体１７０−Ｃにおける当該各面をつなぐ面のいずれかの面に、オーディオ信号入力端子１０２を設けるようにすることが望ましい。
【００７５】
さらに、このような外部スピーカ装置１００は、図１８（ｂ）に示すように、Ｕ字型筐体１７０の下面側の一部に空間を設ける構造として、外部スピーカ装置１００の一部を設置面から浮かせる構造とすることにより、テレビ１の支持台５１の一部をこの空間に入れることができる。このようにすると、テレビ１の回転軸体５２を避けることができる程度の筐体１７０−Ａと筐体１７０−Ｂとの距離があればよいから、外部スピーカ装置１００を小型化することもできる。また、図１８（ｂ）において破線で示すように、筐体１７０−Ｃの長さを伸縮させて筐体１７０−Ａと筐体１７０−Ｂとの距離を可変とすることができるような伸縮部１９０を設けてもよい。このようにすると、テレビ１の筐体５０、支持台５１、回転軸体５２の大きさに応じて、適切な大きさに調整することができる。なお、この伸縮部１９０は、筐体１７０−Ａ、１７０−Ｂに設けられてもよい。
【００７６】
＜変形例１１＞
上述した実施形態においては、映像信号入力部１１、表示部１２を有するテレビ１であったが、テレビ１の構成のうち映像信号入力部１１、表示部１２以外の構成を有するオーディオ信号供給装置としてもよい。すなわち、オーディオ信号供給装置、映像信号入力部１１および表示部１２によりテレビ１が構成されているものとしてもよい。また、オーディオ信号供給装置は、内部スピーカ２８を有さず、放音は外部スピーカ装置１００から行うものとしてもよい。この場合には、内部スピーカ用パラメータ、切替情報、切替供給部２７は用いる必要がない。
【図面の簡単な説明】
【００７７】
【図１】実施形態に係るテレビの構成を示すブロック図である。
【図２】実施形態に係るテレビの外観の一例を示す説明図である。
【図３】実施形態に係る外部スピーカ装置の外観の一例を示す説明図である。
【図４】実施形態に係る記憶部の記憶内容の説明図である。
【図５】実施形態に係る外部スピーカ装置の外観の一例および周波数特性の一例を示す説明図である。
【図６】実施形態に係る外部スピーカ装置の回路構成を示す説明図である。
【図７】変形例１に係るテレビの構成を示すブロック図である。
【図８】変形例３に係る記憶部の記憶内容の説明図である。
【図９】変形例３に係る表示面の表示の一例を示す説明図である。
【図１０】変形例５に係るテレビの構成を示すブロック図である。
【図１１】変形例５に係る外部スピーカ装置の構成の一例を示すブロック図である。
【図１２】変形例５に係る外部スピーカ装置の回路構成の一例を示す説明図である。
【図１３】変形例５に係る外部スピーカ装置の構成の一例を示すブロック図である。
【図１４】変形例５に係る外部スピーカ装置の回路構成の一例を示す説明図である。
【図１５】変形例６に係るテレビの構成を示すブロック図である。
【図１６】変形例７に係るテレビの構成を示すブロック図である。
【図１７】変形例１０に係る外部スピーカ装置の外観の一例を示す説明図である。
【図１８】変形例１０に係る外部スピーカ装置の外観の一例を示す説明図である。
【符号の説明】
【００７８】
１…テレビ、１０…信号出力部、１１…映像信号入力部、１２…表示部、１２−Ｄ…表示面、２１…オーディオ信号入力部、２２…音質調整部、２３…パラメータ設定部、２４…操作部、２５…記憶部、２６，２６−１，２６−２…増幅部、２７，３１…切替供給部、２８…内部スピーカ、２９…接続端子、３０…第２接続端子、４０…データ取得部、４１…識別部、４１１…定電流源、４１２…電圧判別部、５０…筐体、５１…支持台、５２…回転軸体、１００…外部スピーカ装置、１０１…スピーカ、１０１−１…ツィータ、１０１−２…ウーファ、１０２…オーディオ信号入力端子、１０３…パラメータ記憶部、１０４…識別抵抗体、１０５…測定端子、１０６…識別情報記憶部、１０７…図形、１０８…基準端子、１１０…ＬＥＤ、１５０…回転台、１５１…開口部、１５２…回転支持部ローラ、１６０…筐体、１７０…Ｕ字型筐体、１７０−Ａ，１７０−Ｂ，１７０−Ｃ…筐体、１８０…サブウーファ、１９０…伸縮部
【図１】
0005061864.tif 000002
【図２】
0005061864.tif 000003
【図３】
0005061864.tif 000004
【図４】
0005061864.tif 000005
【図５】
0005061864.tif 000006
【図６】
0005061864.tif 000007
【図７】
0005061864.tif 000008
【図８】
0005061864.tif 000009
【図９】
0005061864.tif 000010
【図１０】
0005061864.tif 000011
【図１１】
0005061864.tif 000012
【図１２】
0005061864.tif 000013
【図１３】
0005061864.tif 000014
【図１４】
0005061864.tif 000015
【図１５】
0005061864.tif 000016
【図１６】
0005061864.tif 000017
【図１７】
0005061864.tif 000018
【図１８】
0005061864.tif 000019